(57)【要約】【課題】電源キーにより、電源ＯＮする条件をより明確にユーザーが認識することができ、ユーザーが電源ＯＦＦしたいときにいつでも電源ＯＦＦでき無駄な電力消費を防げる加熱調理器を提供する。【解決手段】加熱手段１と、制御手段５と、電源回路８と、電力開閉手段６と、保持手段７と、電源ＯＮ／ＯＦＦ入力手段３とを備え、電源ＯＮ／ＯＦＦ入力手段３のＯＮ／ＯＦＦ動作により、電源回路８からの電力供給を開始／停止する。【選択図】図１
2007100994.tif 000002
【特許請求の範囲】
【請求項１】
被加熱物を加熱する加熱手段と、前記加熱手段を制御する制御手段と、前記制御手段へ電力を供給する電源回路と、前記電源回路と前記制御手段との間に設けられ前記制御手段への電力を供給する電力開閉手段と、前記電力開閉手段のＯＮ／ＯＦＦ動作を制御する保持手段と、電源のＯＮ／ＯＦＦ動作を入力する電源ＯＮ／ＯＦＦ入力手段とを備え、前記制御手段は前記電源ＯＮ／ＯＦＦ入力手段のＯＮ／ＯＦＦ動作により、電源回路からの電力供給を開始／停止することを特徴とする加熱調理器。
【請求項２】
制御手段は電源ＯＮ／ＯＦＦ入力手段のＯＦＦ動作と時計設定状態の有無により、電源回路からの電力供給を継続／停止することを特徴とする請求項１に記載の加熱調理器。
【請求項３】
加熱モードまたは加熱条件を入力する入力手段を備え、制御手段は前記入力手段の入力により、電源回路からの電力供給を開始することを特徴とする請求項１または２に記載の加熱調理器。
【請求項４】
ドアの開閉を検知するドア開閉入力手段を備え、制御手段は前記ドア開閉入力手段の入力により、電源回路からの電力供給を開始することを特徴とする請求項１〜３のいずれか１項に記載の加熱調理器。
【請求項５】
電源のＯＮ／ＯＦＦ状態を表示する表示手段を備え、電源回路からの電力供給を行っている状態でも、前記表示手段には電源ＯＦＦ表示を行うことを特徴とする請求項１〜４のいずれか１項に記載の加熱調理器。
【発明の詳細な説明】
【技術分野】
【０００１】
本発明は、マイクロコンピュータを用いた加熱調理器に関するものである。
【背景技術】
【０００２】
マイコンを備えた制御回路で制御される高周波加熱装置は、従来装置では加熱調理を行なっていない時でも、キー入力の検出や時計動作等のために、常に制御回路に電源が供給されていた。しかし一日の使用時間が大変短い装置にあってその制御回路に常に電力を供給し続けるのは、たとえ消費される電力が１Ｗといった小さいものであっても、長い時間に亘れば膨大なエネルギーロスとなった。
【０００３】
そこで最近、電子レンジ等の家電機器において待機電力を少なくしようという要求が出てきている。そのための具体的な回路として、商用電源とその電源回路との間にドアスイッチを介設して、ドアの開成でドアスイッチがＯＮ動作し、ドアの閉成でＯＦＦ動作し自己保持する高周波加熱装置がある（例えば、特許文献１または特許文献２参照）。
【０００４】
図３、図４は、特許文献１，２に記載された従来の加熱調理器のフローチャートおよび構成図である。次に図を用いて、マイクロコンピュータ（図示せず）により制御手段１２を制御し、マイクロコンピュータ（以下マイコンと称す）に電源が供給されていない状態からドア開閉で電源が供給された状態になった動作について説明する。
【０００５】
ます、ステップＳ１１にて、マイコンは一時退避できるメモリとしてＲＡＭを時間の計測カウンタとして用意し、初期設定として計測カウンタＲＡＭであるタイマに６００秒（＝１０分）を設定し、ステップＳ１２では、マイコンは電源から入力されるクロックを元に時間を計測し（例えば、５０Ｈｚではクロック１周期が２０ｍｓなので５０周期くれば１秒と計測できる）、１秒経過すればステップＳ１３に移行し、タイマを１秒減算してからステップＳ１４へ移行する。但しタイマがすでに０の場合には減算せずそのままステップＳ１４へ移行する。１秒経過していない場合は、ステップＳ１４へ処理を飛ばす。
【０００６】
ステップＳ１４で調理中かどうか判断を行い、もし調理中ならステップＳ１１に処理を戻す。調理中でないならステップＳ１５に移行する。ステップＳ１５で入力手段１１からキー入力信号があった場合には、ステップＳ１１に処理を戻す。キー入力信号がなければ、ステップＳ１６に移行する。
【０００７】
ステップＳ１６にてタイマが０になったかどうか判断する。もしタイマが０になれば無操作で１０分経過したことになるので、ステップＳ１７に移行する。タイマが０でなければステップＳ１２に移行し、動作を繰り返す。
【０００８】
ステップＳ１７では、電源ＯＦＦさせるために制御手段１２より保持手段１５を制御し、電力開閉手段１４をＯＦＦさせて電源回路１３から供給される電源をＯＦＦさせる。
【特許文献１】特開２００１−３４９５５４号公報
【特許文献２】特開２００２−３２７９２４号公報
【発明の開示】
【発明が解決しようとする課題】
【０００９】
しかしながら、前記従来の構成では、ドアの開閉により電力供給を開始し、電源ＯＮするということがわかりにくいという課題を有していた。
【００１０】
また、調理終了後など、ユーザーがすぐに電源ＯＦＦしたい場合でも、プラグを抜く以外では出来ないという課題を有していた。
【００１１】
本発明は、前記従来の課題を解決するもので、電源キーを設けユーザーの意思によりいつでも電源をＯＮ／ＯＦＦできる構成とした加熱調理器を提供することを目的とする。
【課題を解決するための手段】
【００１２】
前記従来の課題を解決するために、本発明の加熱調理器は、被加熱物を加熱する加熱手段と、前記加熱手段を制御する制御手段と、前記制御手段へ電力を供給する電源回路と、前記電源回路と前記制御手段との間に設けられ前記制御手段への電力を供給する電力開閉手段と、前記電力開閉手段のＯＮ／ＯＦＦ動作を制御する保持手段と、電源のＯＮ／ＯＦＦ動作を入力する電源ＯＮ／ＯＦＦ入力手段とを備え、前記制御手段は前記電源ＯＮ／ＯＦＦ入力手段のＯＮ／ＯＦＦ動作により、電源回路からの電力供給を開始／停止することを特徴としたものである。
【００１３】
これによって、電源をＯＮする場合はユーザーが迷わずにＯＮすることができ、電源をＯＦＦしたい場合はいつでもＯＦＦすることができ、消費する電力を最小限にすることができる。
【００１４】
また、本発明の加熱調理器は、前記制御手段は前記電源ＯＮ／ＯＦＦ入力手段のＯＦＦ動作と時計設定状態の有無により、電源回路からの電力供給を継続／停止することを特徴としたものである。
【００１５】
これによって、時計設定がある場合はユーザーが電源ＯＦＦキーを押したとしても電源ＯＦＦされずに、時計機能が働く。時計設定していない場合は、電源ＯＦＦする。
また、本発明の加熱調理器は、各加熱モードまたは加熱条件を入力する入力手段とを備え、前記制御手段は前記入力手段の入力により、電源回路からの電力供給を開始することを特徴としたものである。
【００１６】
これによって、電源ＯＦＦ状態で、本来なら電源キーを押すことで電源ＯＮしてから使用するが、ユーザーがなんらかのキーを押した場合にでも電源ＯＮし、すぐに使用できる状態にすることができる。
【００１７】
また、本発明の加熱調理器は、ドアの開閉を検知するドア開閉入力手段とを備え、前記制御手段は前記ドア開閉入力手段の入力により、電源回路からの電力供給を開始することを特徴としたものである。
【００１８】
これによって、電源ＯＦＦ状態で、本来なら電源キーを押すことで電源ＯＮしてから使用するが、ユーザーがドア開またはドア閉した場合にでも電源ＯＮし、すぐに使用できる状態にすることができる。
【００１９】
また、本発明の加熱調理器は、電源のＯＮ／ＯＦＦ状態を表示する表示手段とを備え、電源回路からの電力供給を行っている状態でも、前記表示手段には電源ＯＦＦ表示を行うことを特徴としたものである。
【００２０】
これによって、電源キーを押すことで電源ＯＦＦしなければならない時に、部品を冷却するためにファンを回す等の電源をＯＦＦしては困る状態の場合、電源ＯＦＦ表示することによって、ユーザーは電源ＯＦＦ状態であることを認識するが、電源をＯＦＦしてもいい状態になるまで電源をＯＦＦせずに済む状態にすることができる。
【発明の効果】
【００２１】
本発明の加熱調理器は、電源をＯＮする場合はユーザーが迷わずにＯＮすることができ、電源をＯＦＦしたい場合はいつでもＯＦＦすることができ、消費する電力を最小限にすることができる。
【発明を実施するための最良の形態】
【００２２】
第１の発明は、被加熱物を加熱する加熱手段と、前記加熱手段を制御する制御手段と、前記制御手段へ電力を供給する電源回路と、前記電源回路と前記制御手段との間に設けられ前記制御手段への電力を供給する電力開閉手段と、前記電力開閉手段のＯＮ／ＯＦＦ動作を制御する保持手段と、電源のＯＮ／ＯＦＦ動作を入力する電源ＯＮ／ＯＦＦ入力手段とを備え、前記制御手段は前記電源ＯＮ／ＯＦＦ入力手段のＯＮ／ＯＦＦ動作により、電源回路からの電力供給を開始／停止することをとしたものである。
【００２３】
これによって、電源をＯＮする場合はユーザーが迷わずにＯＮすることができ、電源をＯＦＦしたい場合はいつでもＯＦＦすることができ、消費する電力を最小限にすることができる。
【００２４】
第２の発明は、制御手段を電源ＯＮ／ＯＦＦ入力手段のＯＦＦ動作と時計設定状態の有無により、電源回路からの電力供給を継続／停止するように構成したことを特徴としたものである。
【００２５】
これによって、時計設定がある場合はユーザーが電源ＯＦＦキーを押したとしても電源ＯＦＦされずに、時計機能が働く。時計設定していない場合は、電源ＯＦＦする。
【００２６】
第３の発明は加熱モードまたは加熱条件を入力する入力手段を備え、制御手段を前記入力手段の入力により、電源回路からの電力供給を開始するように構成したことを特徴としたものである。
【００２７】
これによって、電源ＯＦＦ状態で、本来なら電源キーを押すことで電源ＯＮしてから使用するが、ユーザーが加熱モードまたは加熱条件を設定するためのキーを押した場合にでも電源ＯＮし、すぐに使用できる状態にすることができる。
【００２８】
第４の発明は、ドアの開閉を検知するドア開閉入力手段を備え、制御手段を前記ドア開閉入力手段の入力により、電源回路からの電力供給を開始するように構成したことを特徴としたものである。
【００２９】
これによって、電源ＯＦＦ状態で、本来なら電源キーを押すことで電源ＯＮしてから使用するが、ユーザーがドア開またはドア閉した場合にでも電源ＯＮし、すぐに使用できる状態にすることができる。
【００３０】
第５の発明は電源のＯＮ／ＯＦＦ状態を表示する表示手段を備え、電源回路からの電力供給を行っている状態でも、前記表示手段には電源ＯＦＦ表示を行うことを特徴としたものである。
【００３１】
これによって、電源キーを押すことで電源ＯＦＦしなければならない時に、部品を冷却するためにファンを回す等の電源をＯＦＦしては困る状態の場合、電源ＯＦＦ表示することによって、ユーザーは電源ＯＦＦ状態であることを認識するが、電源をＯＦＦしてもいい状態になるまで電源をＯＦＦせずに済む状態にすることができる。
【００３２】
以下、本発明の実施の形態について、図面を参照しながら説明する。なお、この実施の
形態によって本発明が限定されるものではない。
【００３３】
（実施の形態１）
図１は、本発明の第１の実施の形態における加熱調理器の構成図を示すものである。
【００３４】
図１において、マイクロコンピュータ（図示せず）は制御手段５を用いて加熱手段１を制御し、電源ＯＮ／ＯＦＦ入力手段３の情報によりに電源をＯＮするかＯＦＦするかを判断し、保持手段７を制御して電力開閉手段６をＯＮ／ＯＦＦすることにより、電源回路８からマイクロコンピュータ（以下マイコンと称す）に供給される電源がＯＮ／ＯＦＦされる構成となっている。なお、電源ＯＮ／ＯＦＦ入力手段３は、電源キーで構成されており、電源キーの操作により、電源のＯＮ／ＯＦＦがトグル動作するように構成している。
【００３５】
以上のように構成された加熱調理器について、以下にその動作、作用を説明する。
【００３６】
まず、マイコンに電源が供給されていない状態から、電源キー押下などの条件で電力開閉手段６をＯＮさせマイコンに電源が供給された場合に、マイコン内部のプログラムが実行される。このとき、マイコン初期設定で保持手段７にマイコンから信号をＯＮさせることで保持手段７はＯＮし続け、電力開閉手段６がＯＮするのでマイコンへの電力供給を保持する。
【００３７】
次にマイコンは電源キーの入力信号を常に監視し、電源キーが押されたことを検知した場合、電源保持のためのマイコンからの出力信号をＯＦＦさせる。このとき、もし時計設定がある場合は、電源ＬＥＤを消灯させるか表示部に電源ＯＦＦ表示を行い、見かけ上電源はＯＦＦ状態にあるが、時計設定を保持するために実際にはマイコンからの出力信号はＯＮを保持しており、時計表示をし続ける。また、時計設定がない場合でも部品を冷やすための冷却ファンが回っている場合、電源ＬＥＤを消灯させるか表示部に電源ＯＦＦ表示を行うが、冷却ファン動作を保持するために実際にはマイコンからの出力信号はＯＮを保持しており、冷却ファンが止まった後に実際にマイコンからの出力信号をＯＦＦさせる。
【００３８】
以上のように、本実施例において電源キーにより電源ＯＮ／ＯＦＦを行うことができる。また、電源キーによりＯＦＦする場合でも、時計設定があったり冷却ファン動作が必要である等のマイコンの電力供給をＯＦＦしたくない場合は、ＯＦＦ表示させることにより、ユーザーに対しては電源ＯＦＦを受け付けたことを知らせる一方で、マイコンへの電力供給を保持し、必要な処理を行うことができる。
【００３９】
なお、本実施の形態では、電源キーの操作以外に、加熱モードまたは加熱条件を入力するために備えられた入力手段４を操作、或いは、ドアの開閉を検知するドア開閉入力手段によりドアの開閉によっても、電源回路８からの電力供給を開始するように構成しているので、電源ＯＦＦ状態であっても電源キーを押すことなく、加熱モードまたは加熱条件を設定するためのキーを押したり、あるいはドアの開閉によっても電源がＯＮするので、すぐに使用できる状態にすることができる。
【００４０】
（実施の形態２）
図２は、本発明の第２の実施の形態の加熱調理器のフローチャートである。なお、実施の形態１と同一符号のものは同一構造を有し、説明は省略する。
【００４１】
まず、ステップＳ１にて、マイコンは一時退避できるメモリとして状態を判別できるＲＡＭを用意し、そのＲＡＭに電源ＯＮ状態を設定する。次に、ステップＳ２では、マイコンは一時記憶メモリであるＲＡＭに記憶された内容から現在の状態を判断し、もし電源ＯＮ状態であるならステップＳ３に移行する。電源ＯＦＦ状態であるならステップＳ４に移
行する。
【００４２】
ステップＳ３で電源状態の表示にＬＥＤを使用している場合は電源ＬＥＤをＯＮし、電源状態の表示を液晶ディスプレイや蛍光表示管等で行っている場合は、そこに電源ＯＮ表示を行う。このとき、ユーザーがわかりやすい絵文字の表示や文字で電源ＯＮを点灯する等の表示の仕方がある。
【００４３】
さらに電源ＯＮ状態であるステップＳ６にて、電源キーが押されたかどうか判断を行い、押された場合はステップＳ７に移行する。押されなかった場合はステップＳ２に処理を戻す。
【００４４】
電源ＯＦＦ状態であるステップＳ４にて、電源ＯＦＦ表示を行うが電源状態の表示にＬＥＤを使用している場合は電源ＬＥＤをＯＦＦし、電源状態の表示を液晶ディスプレイや蛍光表示管等で行っている場合は、電源ＯＮ表示を消灯させる。これは、マイコンが電源ＯＦＦした場合の表示と同一表示である。
【００４５】
ステップＳ５にて、電源キーが押されたかどうか判断を行い、押された場合はステップＳ８に移行する。押されなかった場合はステップＳ１に処理を戻す。
【００４６】
ステップＳ８では、時計設定ありかどうかを判断し、時計設定ありならステップＳ２に処理を戻す。時計設定無しならステップＳ９に移行する。
【００４７】
次にステップＳ９で、部品を冷却するための冷却ファンが動作しているかどうか判断し、もし動作していないならステップＳ１０に移行する。動作しているなら電源ＯＦＦできないのでステップＳ２の処理に戻し、処理を繰り返す。
【００４８】
ステップＳ１０ではマイコンの電源をＯＦＦさせるために、マイコンからの電源保持信号をＯＦＦさせ、電源ＯＦＦする。
【産業上の利用可能性】
【００４９】
以上のように、本発明の加熱調理器は、容易に待機時電力削減が可能となるため、加熱調理器のみならず他の家電機器への展開も図れる。
【図面の簡単な説明】
【００５０】
【図１】本発明の実施の形態１における加熱調理器の構成図
【図２】本発明の実施の形態２における加熱調理器のフローチャート
【図３】従来の加熱調理器におけるフローチャート
【図４】従来の加熱調理器における構成図
【符号の説明】
【００５１】
１  加熱手段
２  ドア開閉入力手段
３  電源ＯＮ／ＯＦＦ入力手段
４  入力手段
５  制御手段
６  電力開閉手段
７  保持手段
８  電源回路
９  表示手段
【図１】
2007100994.tif 000003
【図２】
2007100994.tif 000004
【図３】
2007100994.tif 000005
【図４】
2007100994.tif 000006